【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
ビデオデータを符号化する方法であって、
前記ビデオデータを取得することと、
前記符号化デバイスによってインプリメントされる基準に基づいて、復号されたビデオビットストリームのコーディングされたビデオシーケンス（ＣＶＳ）のコンテンツを処理することに関連付けられた任意の補足エンハンスメント情報（ＳＥＩ）メッセージが所望のユーザエクスペリエンスを可能にするために必須と見なされるかどうかを決定することと、ここにおいて、前記復号されたビデオビットストリームは、前記ビデオデータに関連付けられた符号化されたビデオビットストリームの復号から生じる、
前記ＣＶＳ内のＳＥＩメッセージのタイプのセットが、前記符号化デバイスによって必須であると見なされるという決定に基づいて、
前記ＣＶＳ内のＳＥＩメッセージのタイプの前記セットが、前記符号化デバイスによって、所望のユーザエクスペリエンスを可能にするために前記ＣＶＳのコンテンツを処理するために必須であると決定されたことを示す情報を含むＳＥＩメッセージを生成することと、ここで、ＳＥＩメッセージのタイプの前記セットは、前記符号化されたビデオビットストリームの復号に影響を及ぼさない、
前記ＳＥＩメッセージ内に含めるために、ＳＥＩメッセージのタイプの前記セット内に含まれるＳＥＩメッセージのタイプの数を示す第１のシンタックス要素を生成することと、
ＳＥＩメッセージのタイプの前記セット内に含まれるＳＥＩメッセージの各タイプについて、前記ＳＥＩメッセージ内に含めるために、ＳＥＩメッセージのタイプを示す第２のシンタックス要素を生成することと、
前記ＳＥＩメッセージ内に、前記第１のシンタックス要素と前記第２のシンタックス要素とを含めることと、
前記符号化されたビデオビットストリームを生成するために前記ビデオデータを符号化することと、
前記符号化されたビデオビットストリームと前記ＳＥＩメッセージを送信することと、
を備える、方法。
【請求項２】
要件に基づいて、前記ＣＶＳの第１のアクセスユニット内に前記ＳＥＩメッセージを含めることをさらに備える、請求項１に記載の方法。
【請求項３】
要件に基づいて、現在のアクセスユニットに前記ＳＥＩメッセージを含めることと、前記現在のアクセスユニットから前記ＣＶＳの終了までの各アクセスユニットに前記ＳＥＩメッセージを含めることとをさらに備える、請求項１に記載の方法。
【請求項４】
コンテンツ作成器から受け取られる入力に基づいて、前記符号化デバイスによってインプリメントされる前記基準を定義することをさらに備える、請求項１に記載の方法。
【請求項５】
ストリーミングのために前記符号化されたビデオビットストリームをカプセル化することと、ここにおいて、前記符号化されたビデオビットストリームは、ストリーミングフォーマットにしたがってカプセル化される、
前記ストリーミングフォーマットにしたがって、符号化されたビデオビットストリームの記述を生成することと、ここにおいて、前記記述は、前記ＳＥＩメッセージを含む、
をさらに備える、請求項１に記載の方法。
【請求項６】
ネットワーク上での送信のために前記符号化されたビデオビットストリームをカプセル化することと、ここにおいて、前記符号化されたビデオビットストリームは、コンテナフォーマットにしたがってカプセル化される、
前記コンテナフォーマットにしたがって、第１のパケットを生成することと、ここにおいて、前記第１のパケットのペイロード部分は、記述子として前記ＳＥＩメッセージを含む、
前記符号化されたビデオビットストリームを含む１つまたは複数のパケットを生成することと、ここにおいて、前記１つまたは複数のパケットは、送信順序で前記第１のパケットに続く、
をさらに備える、請求項１に記載の方法。
【請求項７】
ネットワーク上での送信のために前記符号化されたビデオビットストリームをカプセル化することと、ここにおいて、前記符号化されたビデオビットストリームは、リアルタイム転送プロトコルにしたがってカプセル化される、
セッション記述プロトコルにしたがって、セッション記述を生成することと、ここにおいて、前記セッション記述は、前記ＳＥＩメッセージを含む、
をさらに備える、請求項１に記載の方法。
【請求項８】
装置であって、
ビデオデータを受信するための手段と、
前記ビデオデータに関連付けられた情報が前記ビデオデータを提示するのに必要とされるかどうかを決定するための手段と、ここにおいて、前記情報は、前記ビデオデータを復号するために必要とされない、
補足エンハンスメント情報（ＳＥＩ）メッセージを生成するための手段と、ここにおいて、前記ＳＥＩメッセージは、前記情報が前記ビデオデータを提示するのに必要とされるかどうかを示すフィールドを含む、
前記ビデオデータを符号化するための手段と、
前記符号化されたビデオデータとともに前記ＳＥＩメッセージを含めるための手段と
を備える、装置。
【請求項９】
ビデオデータを復号する方法であって、
復号デバイスにおいて、符号化されたビデオビットストリーム、および前記符号化されたビデオビットストリームに関連付けられた補足エンハンスメント情報（ＳＥＩ）メッセージを受信することと、
前記符号化されたビデオビットストリームのコーディングされたビデオシーケンス（ＣＶＳ）内のＳＥＩメッセージのタイプのセットが、前記符号化されたビデオビットストリームの符号化デバイスによって、所望のユーザエクスペリエンスを可能にするために前記ＣＶＳのコンテンツを処理するために必須であると決定されたことを示す情報を含む前記ＳＥＩメッセージを処理することと、ここで、ＳＥＩメッセージのタイプの前記セットは、前記符号化されたビデオビットストリームの復号に影響を及ぼさない、
前記ＳＥＩメッセージ内で、ＳＥＩメッセージのタイプの前記セット内に含まれるＳＥＩメッセージのタイプの数を示す第１のシンタックス要素を受信することと、
前記第１のシンタックス要素に基づいて、ＳＥＩメッセージのタイプの前記セット内に含まれるＳＥＩメッセージのタイプの前記数を決定することと、
ＳＥＩメッセージのタイプの前記セット内に含まれるＳＥＩメッセージのタイプの前記数の前記決定に応答して、ＳＥＩメッセージのタイプの前記セット内に含まれるＳＥＩメッセージの各タイプについて、ＳＥＩメッセージのタイプを示す第２のシンタックス要素を受信することと、
ＳＥＩメッセージのタイプの前記セット中のＳＥＩメッセージの各タイプが、前記符号化デバイスによって、前記所望のユーザエクスペリエンスを可能にするために前記ＣＶＳのコンテンツを処理するために必須であると決定されていると決定することと、
復号されたビデオデータを生成するために、前記符号化されたビデオビットストリームを復号することと、
を備える、方法。
【請求項１０】
前記ＣＶＳの第１のアクセスユニット中で前記ＳＥＩメッセージを受信することをさらに備え、好ましくは／または、現在のアクセスユニット中で、および前記現在のアクセスユニットから前記ＣＶＳの終了までの各アクセスユニット中で前記ＳＥＩメッセージを受信することをさらに備え、好ましくは／または、前記ＳＥＩメッセージのコンテンツに基づいて、前記復号デバイスが前記所望のユーザエクスペリエンスを提供する可能にするために前記ＣＶＳを処理するように構成されたシステムレベル処理エンティティを含むかどうか決定することをさらに備え、好ましくは／または、前記符号化されたビデオビットストリーム、および前記符号化されたビデオビットストリームに関連付けられた前記ＳＥＩメッセージは、ファイル中で受信され、前記ファイルは、ファイルフォーマットにしたがってフォーマットされ、および前記ファイルフォーマットにしたがって、前記ＳＥＩメッセージは、前記符号化されたビデオビットストリームを含む前記ファイルの一部の前の、前記復号デバイスによって読み取られる前記ファイルの一部中にある、請求項９に記載の方法。
【請求項１１】
前記符号化されたビデオビットストリーム、および前記符号化されたビデオビットストリームに関連付けられた前記ＳＥＩメッセージは、データストリーム中で受信され、前記データストリームは、ストリーミングフォーマットにしたがってフォーマットされ、
前記データストリームから、符号化されたビデオビットストリームの記述を読み取ること、ここにおいて、前記記述は、前記ＳＥＩメッセージを含む、
請求項９に記載の方法。
【請求項１２】
前記符号化されたビデオビットストリーム、および前記符号化されたビデオビットストリームに関連付けられた前記ＳＥＩメッセージは、複数のネットワークパケット中で受信され、
前記複数のネットワークパケットからの第１のパケットのペイロード部分から前記ＳＥＩメッセージを読み取ることと、
前記複数のネットワークパケットからの１つまたは複数のパケットから前記符号化されたビデオビットストリームを読み取ることと、ここにおいて、前記１つまたは複数のパケットは、送信順序で前記第１のパケットに続く、
請求項９に記載の方法。
【請求項１３】
前記符号化されたビデオビットストリーム、前記符号化されたビデオビットストリームに関連付けられた前記ＳＥＩメッセージは、ネットワーク上で受信され、前記符号化されたビデオビットストリームは、リアルタイム転送プロトコルにしたがってカプセル化され、前記ＳＥＩメッセージは、セッション記述中に含まれ、前記セッション記述は、セッション記述プロトコルにしたがってフォーマットされる、請求項９に記載の方法。
【請求項１４】
１つまたは複数のプロセッサによって実行されると、前記１つまたは複数のプロセッサに、請求項１〜請求項７または請求項９〜請求項１３のうちのいずれか一項の方法を実行させる命令を備える、
非一時的コンピュータ可読媒体。
【請求項１５】
装置であって、
前記符号化されたビデオビットストリームのコーディングされたビデオシーケンス（ＣＶＳ）内のＳＥＩメッセージのタイプのセットが、前記符号化されたビデオビットストリームの符号化デバイスによって、所望のユーザエクスペリエンスを可能にするために前記ＣＶＳのコンテンツを処理するために必須であると決定されたことを示す情報を含む前記ＳＥＩメッセージを処理するための手段と、ここで、ＳＥＩメッセージのタイプの前記セットは、前記符号化されたビデオビットストリームの復号に影響を及ぼさない、
前記ＳＥＩメッセージ内で、ＳＥＩメッセージのタイプの前記セット内に含まれるＳＥＩメッセージのタイプの数を示す第１のシンタックス要素を受信するための手段と、
前記第１のシンタックス要素に基づいて、ＳＥＩメッセージのタイプの前記セット内に含まれるＳＥＩメッセージのタイプの前記数を決定するための手段と、
ＳＥＩメッセージのタイプの前記セット内に含まれるＳＥＩメッセージの各タイプについて、ＳＥＩメッセージのタイプの前記セット内に含まれるＳＥＩメッセージのタイプの前記数の前記決定に応答して、ＳＥＩメッセージのタイプを示す第２のシンタックス要素を受信するための手段と、
ＳＥＩメッセージのタイプの前記セット中のＳＥＩメッセージの各タイプが、前記符号化デバイスによって、前記所望のユーザエクスペリエンスを可能にするために前記ＣＶＳのコンテンツを処理するために必須であると決定されていると決定するための手段と、
復号されたビデオデータを生成するために、前記符号化されたビデオビットストリームを復号するための手段と、
を備える、装置。
【手続補正２】
【補正対象書類名】明細書
【補正対象項目名】０３１４
【補正方法】変更
【補正の内容】
【０３１４】
[0323]プログラムコードは、プロセッサによって実行され得、それは、１つまたは複数のデジタルシグナルプロセッサ（ＤＳＰ）、汎用マイクロプロセッサ、特定用途向け集積回路（ＡＳＩＣ）、フィールドプログラマブルロジックアレイ（ＦＰＧＡ）、あるいは他の同等の集積回路またはディスクリートロジック回路のような１つまたは複数のプロセッサを含み得る。そのようなプロセッサは、この開示に説明された技法のうちの任意のものを実行するように構成され得る。汎用プロセッサは、マイクロプロセッサであり得るが、代替では、プロセッサは、任意の従来のプロセッサ、コントローラ、マイクロコントローラ、またはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと連携した１つまたは複数のマイクロプロセッサ、あるいは任意の他のそのような構成としてインプリメントされ得る。それ故に、「プロセッサ」という用語は、ここに使用される場合、前述の構造のうちの任意のもの、前述の構造の任意の組み合わせ、あるいはここに説明された技法のインプリメンテーションに適した任意の他の構造または装置を指し得る。加えて、いくつかの態様では、ここに説明された機能は、符号化および復号のために構成された専用ソフトウェアモジュールまたはハードウェアモジュール内で提供され得るか、あるいは組み合わされたビデオ符号化器−復号器（ＣＯＤＥＣ）中に組み込まれ得る。
以下に本願の出願当初の特許請求の範囲に記載された発明を付記する。
[Ｃ１]  ビデオデータを符号化する方法であって、
ビデオデータを受信することと、
符号化デバイスが、前記ビデオデータに関連付けられた情報が前記ビデオデータを提示するのに必要とされるかどうかを決定することと、ここにおいて、前記情報は、前記ビデオデータを復号するために必要とされない、
補足エンハンスメント情報（ＳＥＩ）メッセージを生成することと、ここにおいて、前記ＳＥＩメッセージは、前記情報が前記ビデオデータを提示するのに必要とされるかどうかを示すフィールドを含む、
前記ビデオデータを符号化することと、
前記符号化されたビデオデータとともに前記ＳＥＩメッセージを含めることと
を備える、方法。
[Ｃ２]  前記符号化デバイスは、前記情報が前記ビデオデータを提示するのに必要とされるかどうかを決定するために前記符号化デバイスが使用することができる１つまたは複数のパラメータで構成される、Ｃ１に記載の方法。
[Ｃ３]  前記符号化デバイスは、前記情報が前記ビデオデータを提示するのに必要とされると決定する、Ｃ１に記載の方法。
[Ｃ４]  前記符号化デバイスは、前記情報が前記ビデオデータを提示するのに必要とされないと決定する、Ｃ１に記載の方法。
[Ｃ５]  前記ＳＥＩメッセージのシンタックス要素は、前記ＳＥＩメッセージのタイプを示す、Ｃ１に記載の方法。
[Ｃ６]  前記情報は、前記符号化されたビデオデータとともに含まれる、Ｃ１に記載の方法。
[Ｃ７]  ファイルに前記符号化されたビデオデータと前記ＳＥＩメッセージとを書き込むことと、ここにおいて、前記符号化されたビデオデータと前記ＳＥＩメッセージとは、ファイルフォーマットにしたがって前記ファイルに書き込まれる、
前記符号化されたビデオデータが読み取られる前に前記ＳＥＩが読み取られることができる前記ファイル中に前記ＳＥＩメッセージを配置するために前記ファイルフォーマットを使用することと
をさらに備える、Ｃ１に記載の方法。
[Ｃ８]  ストリーミングのために前記符号化されたビデオデータをカプセル化することと、ここにおいて、前記符号化されたビデオデータは、ストリーミングフォーマットにしたがってカプセル化される、
前記ストリーミングフォーマットにしたがって、符号化されたビデオデータの記述を生成することと、ここにおいて、前記記述は、前記ＳＥＩメッセージを含む、
をさらに備える、Ｃ１に記載の方法。
[Ｃ９]  ネットワーク上での送信のために前記符号化されたビデオデータをカプセル化することと、ここにおいて、前記符号化されたビデオデータは、コンテナフォーマットにしたがってカプセル化される、
前記コンテナフォーマットにしたがって、第１のパケットを生成することと、ここにおいて、前記第１のパケットのペイロード部分は、記述子として前記ＳＥＩメッセージを含む、
前記符号化されたビデオデータを含む１つまたは複数のパケットを生成することと、ここにおいて、前記１つまたは複数のパケットは、送信順序で前記第１のパケットに続く、  をさらに備える、Ｃ１に記載の方法。
[Ｃ１０]  ネットワーク上での送信のために前記符号化されたビデオデータをカプセル化することと、ここにおいて、前記符号化されたビデオデータは、リアルタイム転送プロトコルにしたがってカプセル化される、
セッション記述プロトコルにしたがって、セッション記述を生成することと、ここにおいて、前記セッション記述は、前記ＳＥＩメッセージを含む、
をさらに備える、Ｃ１に記載の方法。
[Ｃ１１]  符号化デバイスであって、
ビデオデータを記憶するように構成されたメモリと、
前記ビデオデータに関連付けられた情報が前記ビデオデータを提示するのに必要とされるかどうかを決定することと、ここにおいて、前記情報は、前記ビデオデータを復号するために必要とされない、
補足エンハンスメント情報（ＳＥＩ）メッセージを生成することと、ここにおいて、前記ＳＥＩメッセージは、前記情報が前記ビデオデータを提示するのに必要とされるかどうかを示すフィールドを含む、
前記ビデオデータを符号化することと、
前記符号化されたビデオデータとともに前記ＳＥＩメッセージを含めることと
を行うように構成されたプロセッサと
を備える、符号化デバイス。
[Ｃ１２]  前記符号化デバイスは、前記情報が前記ビデオデータを提示するのに必要とされるかどうかを決定するために前記符号化デバイスが使用することができる１つまたは複数のパラメータで構成される、Ｃ１１に記載の符号化デバイス。
[Ｃ１３]  前記プロセッサは、
前記情報が前記ビデオデータを提示するのに必要とされると決定すること
を行うようにさらに構成される、Ｃ１１に記載の符号化デバイス。
[Ｃ１４]  前記プロセッサは、
前記情報が前記ビデオデータを提示するのに必要とされないと決定すること
を行うようにさらに構成される、Ｃ１１に記載の符号化デバイス。
[Ｃ１５]  前記ＳＥＩメッセージのシンタックス要素は、前記ＳＥＩメッセージのタイプを示す、Ｃ１１に記載の符号化デバイス。
[Ｃ１６]  前記情報は、前記符号化されたビデオデータとともに含まれる、Ｃ１１に記載の符号化デバイス。
[Ｃ１７]  １つまたは複数のプロセッサによって実行されると、前記１つまたは複数のプロセッサに、
ビデオデータを受信することと、
前記ビデオデータに関連付けられた情報が前記ビデオデータを提示するのに必要とされるかどうかを決定することと、ここにおいて、前記情報は、前記ビデオデータを復号するために必要とされない、
補足エンハンスメント情報（ＳＥＩ）メッセージを生成することと、ここにおいて、前記ＳＥＩメッセージは、前記情報が前記ビデオデータを提示するのに必要とされるかどうかを示すフィールドを含む、
前記ビデオデータを符号化することと、
前記符号化されたビデオデータとともに前記ＳＥＩメッセージを含めることと
を行わせる命令を備える、非一時的コンピュータ可読媒体。
[Ｃ１８]  装置であって、
ビデオデータを受信するための手段と、
前記ビデオデータに関連付けられた情報が前記ビデオデータを提示するのに必要とされるかどうかを決定するための手段と、ここにおいて、前記情報は、前記ビデオデータを復号するために必要とされない、
補足エンハンスメント情報（ＳＥＩ）メッセージを生成するための手段と、ここにおいて、前記ＳＥＩメッセージは、前記情報が前記ビデオデータを提示するのに必要とされるかどうかを示すフィールドを含む、
前記ビデオデータを符号化するための手段と、
前記符号化されたビデオデータとともに前記ＳＥＩメッセージを含めるための手段と  を備える、装置。
[Ｃ１９]  ビデオデータを復号する方法であって、
復号デバイスにおいて、符号化されたビデオビットストリーム、補足エンハンスメント情報（ＳＥＩ）メッセージ、および前記符号化されたビデオビットストリームに関連付けられた情報を受信することと、
前記ＳＥＩメッセージを使用して、前記情報が前記符号化されたビデオビットストリーム中のビデオデータを提示するのに必要とされるかどうかを決定することと、ここにおいて、前記情報は、前記ビデオデータを復号するために必要とされず、および前記ＳＥＩメッセージは、前記情報が前記ビデオデータを提示するのに必要とされるかどうかを示すフィールドを含む、
ビデオデータを作り出すために前記符号化されたビデオビットストリームを復号することと、ここにおいて、前記符号化されたビデオビットストリームは、前記情報が前記ビデオデータを提示するのに必要とされるかどうかを決定することの結果にしたがって復号される、
を備える、方法。
[Ｃ２０]  前記復号デバイスは、前記情報が前記ビデオデータを提示するのに必要とされると決定し、および前記復号デバイスは、前記情報にしたがって前記ビデオデータを構成する、Ｃ１９に記載の方法。
[Ｃ２１]  前記復号デバイスは、前記情報が前記ビデオデータを提示するのに必要とされないと決定し、および前記復号デバイスは、前記情報を使用することなしに前記符号化されたビデオデータを復号する、Ｃ１９に記載の方法。
[Ｃ２２]  前記ＳＥＩメッセージのシンタックス要素は、前記ＳＥＩメッセージのタイプを示す、Ｃ１９に記載の方法。
[Ｃ２３]  前記符号化されたビデオビットストリーム、前記ＳＥＩメッセージ、および前記符号化されたビデオビットストリームに関連付けられた前記情報は、ファイル中で受信され、前記ファイルは、ファイルフォーマットにしたがってフォーマットされ、および前記ファイルフォーマットにしたがって、前記ＳＥＩメッセージは、前記符号化されたビデオビットストリームを含む前記ファイルの一部の前の、前記復号デバイスによって読み取られる前記ファイルの一部中にある、Ｃ１９に記載の方法。
[Ｃ２４]  前記符号化されたビデオビットストリーム、前記ＳＥＩメッセージ、および前記符号化されたビデオビットストリームに関連付けられた前記情報は、データストリーム中で受信され、前記データストリームは、ストリーミングフォーマットにしたがってフォーマットされ、
前記データストリームから、前記符号化されたビデオデータの記述を読み取ること、ここにおいて、前記記述は、前記ＳＥＩメッセージを含む、
Ｃ１９に記載の方法。
[Ｃ２５]  前記符号化されたビデオビットストリーム、前記ＳＥＩメッセージ、および前記符号化されたビデオビットストリームに関連付けられた前記情報は、複数のネットワークパケット中で受信され、
前記複数のネットワークパケットからの第１のパケットのペイロード部分から前記ＳＥＩメッセージを読み取ることと、
前記複数のネットワークパケットからの１つまたは複数のパケットから前記符号化されたビデオデータを読み取ることと、ここにおいて、前記１つまたは複数のパケットは、送信順序で前記第１のパケットに続く、
Ｃ１９に記載の方法。
[Ｃ２６]  前記符号化されたビデオビットストリーム、前記ＳＥＩメッセージ、および前記符号化されたビデオビットストリームに関連付けられた前記情報は、ネットワーク上で受信され、前記符号化されたビデオビットストリームは、リアルタイム転送プロトコルにしたがってカプセル化され、前記ＳＥＩメッセージは、セッション記述中に含まれ、前記セッション記述は、セッション記述プロトコルにしたがってフォーマットされる、Ｃ１９に記載の方法。
[Ｃ２７]  復号デバイスであって、
符号化されたビデオビットストリーム、補足エンハンスメント情報（ＳＥＩ）メッセージ、および前記符号化されたビデオビットストリームに関連付けられた情報を記憶するように構成されたメモリと、
前記ＳＥＩメッセージを使用して、前記情報が前記符号化されたビデオビットストリーム中のビデオデータを提示するのに必要とされるかどうかを決定することと、ここにおいて、前記情報は、前記ビデオデータを復号するために必要とされず、および前記ＳＥＩメッセージは、前記情報が前記ビデオデータを提示するのに必要とされるかどうかを示すフィールドを含む、
ビデオデータを作り出すために前記符号化されたビデオビットストリームを復号することと、ここにおいて、前記符号化されたビデオビットストリームは、前記情報が前記ビデオデータを提示するのに必要とされるかどうかを決定することの結果にしたがって復号される、
を行うように構成されたプロセッサと
を備える、復号デバイス。
[Ｃ２８]  前記復号デバイスは、前記情報が前記ビデオデータを提示するのに必要とされると決定し、および前記復号デバイスは、前記情報にしたがって前記ビデオデータを構成する、Ｃ２７に記載の復号デバイス。
[Ｃ２９]  前記復号デバイスは、前記情報が前記ビデオデータを提示するのに必要とされないと決定し、および前記復号デバイスは、前記情報を使用することなしに前記符号化されたビデオデータを復号する、Ｃ２７に記載の復号デバイス。
[Ｃ３０]  前記ＳＥＩメッセージのシンタックス要素は、前記ＳＥＩメッセージのタイプを示す、Ｃ２７に記載の復号デバイス。
[Ｃ３１]  １つまたは複数のプロセッサによって実行されると、前記１つまたは複数のプロセッサに、
符号化されたビデオビットストリーム、補足エンハンスメント情報（ＳＥＩ）メッセージ、および前記符号化されたビデオビットストリームに関連付けられた情報を受信することと、
前記ＳＥＩメッセージを使用して、前記情報が前記符号化されたビデオビットストリーム中のビデオデータを提示するのに必要とされるかどうかを決定することと、ここにおいて、前記情報は、前記ビデオデータを復号するために必要とされず、および前記ＳＥＩメッセージは、前記情報が前記ビデオデータを提示するのに必要とされるかどうかを示すフィールドを含む、
ビデオデータを作り出すために前記符号化されたビデオビットストリームを復号することと、ここにおいて、前記符号化されたビデオビットストリームは、前記情報が前記ビデオデータを提示するのに必要とされるかどうかを決定することの結果にしたがって復号される、
を行わせる命令を備える、非一時的コンピュータ可読媒体。
[Ｃ３２]  装置であって、
符号化されたビデオビットストリーム、補足エンハンスメント情報（ＳＥＩ）メッセージ、および前記符号化されたビデオビットストリームに関連付けられた情報を受信するための手段と、
前記ＳＥＩメッセージを使用して、前記情報が前記符号化されたビデオビットストリーム中のビデオデータを提示するのに必要とされるかどうかを決定するための手段と、ここにおいて、前記情報は、前記ビデオデータを復号するために必要とされず、および前記ＳＥＩメッセージは、前記情報が前記ビデオデータを提示するのに必要とされるかどうかを示すフィールドを含む、
ビデオデータを作り出すために前記符号化されたビデオビットストリームを復号するための手段と、ここにおいて、前記符号化されたビデオビットストリームは、前記情報が前記ビデオデータを提示するのに必要とされるかどうかを決定することの結果にしたがって復号される、
を備える、装置。